(57)【要約】【課題】互いに基板厚の異なる２種類の情報記録再生媒体に対して、同じ発光素子から出射したレーザ光を用いて記録および再生の少なくとも一方が可能な小型の光ピックアップ装置とそれを備える光ディスク装置を提供する。【解決手段】発光素子と、前記発光素子から出射されるレーザ光を第１の光ディスクに集光するための第１の対物レンズと、前記発光素子から出射されるレーザ光を第２の光ディスクに集光するための第２の対物レンズと、前記第１の光ディスク又は第２の光ディスクで反射されたレーザ光を受光して、信号を生成するための受光素子と、前記発光素子から出射されるレーザ光を前記第１の対物レンズと第２の対物レンズに向けて分割するための光学系とを備えた構成とする。【選択図】図１
2008103037.tif 000002
【特許請求の範囲】
【請求項１】
記録面あるいは再生面を有する第１の光ディスクと、記録面あるいは再生面を有し、前記第１の光ディスクと基板の厚みの異なる第２の光ディスクとに少なくとも対応した光ピックアップ装置であって、
発光素子と、
前記発光素子から出射されるレーザ光を前記第１の光ディスクに集光するための第１の対物レンズと、
前記発光素子から出射されるレーザ光を前記第２の光ディスクに集光するための第２の対物レンズと、
前記第１の光ディスク又は第２の光ディスクで反射されたレーザ光を受光して、信号を生成するための受光素子と、
前記発光素子から出射されるレーザ光を前記第１の対物レンズと第２の対物レンズに向けて分割するための光学系とを備えたことを特徴とする光ピックアップ装置。
【請求項２】
請求項１記載の光ピックアップ装置であって、前記光学系は、前記レーザ光の偏光の向きに応じて前記レーザ光を反射又は透過させる第１の光学部品と、前記第１の光学部品を透過したレーザ光を反射させる第２の光学部品とを有し、前記第１の光学部品を反射したレーザ光が前記第１の対物レンズに導かれ、前記第２の光学部品を反射したレーザ光が前記第２の対物レンズに導かれるように構成されていることを特徴とする光ピックアップ装置。
【請求項３】
請求項２記載の光ピックアップ装置であって、前記第２の光学部品は、前記光ピックアップの母体となる機構部品に接触していないことを特徴とする光ピックアップ装置。
【請求項４】
請求項２又は３記載の光ピックアップ装置であって、前記第２の光学部品は、前記機構部品に対する位置又は角度を調整するためのホルダーを備えていることを特徴とする光ピックアップ装置。
【請求項５】
請求項２から４のいずれか記載の光ピックアップ装置であって、前記第２の光学部品が反射ミラー又は反射プリズムであることを特徴とする光ピックアップ装置。
【請求項６】
請求項２記載の光ピックアップ装置であって、更に、前記第２の光学部品と前記第２の対物レンズとの間に第３の光学部品を有し、
前記第３の光学部品は、前記光ピックアップの母体となる機構部品に接触していないことを特徴とする光ピックアップ装置。
【請求項７】
請求項６記載の光ピックアップ装置であって、
前記第３の光学部品はレンズホルダに保持されるレンズであり、該レンズは、前記レンズホルダと接触しないように接着剤を介して設けられていることを特徴とする光ピックアップ装置。
【請求項８】
請求項１から７のいずれか記載の光ピックアップ装置であって、
前記発光素子を第１の発光素子とし、前記レーザ光を第１のレーザ光とし、前記受光素子を第１の受光素子としたときに、
前記光ピックアップ装置は、更に、前記第１のレーザ光とは波長の異なる第２のレーザ光により記録又は再生が行われる第３の光ディスクに対応するものであって、
前記第２のレーザ光を発光するための第２の発光素子と、
前記第３の光ディスクで反射された前記第２のレーザ光を受光する第２の受光素子と、を更に備え、
前記第２のレーザ光を前記第１又は第２の対物レンズにより前記第３の光ディスクに集光させるよう構成されていることを特徴とする光ピックアップ装置。
【請求項９】
請求項１から７のいずれか記載の光ピックアップ装置であって、
前記光ピックアップ装置は、更に、前記第１及び第２のレーザ光とは波長の異なる第３のレーザ光により記録又は再生が行われる第４の光ディスクに対応するものであって、
前記第３のレーザ光を発光するための第３の発光素子と、
前記第４の光ディスクで反射された前記第３のレーザ光を受光する第３の受光素子と、を更に備え、
前記第３のレーザ光を前記第１又は第２の対物レンズにより前記第４の光ディスクに集光させるよう構成されていることを特徴とする光ピックアップ装置。
【請求項１０】
請求項１から９のいずれか記載の光ピックアップ装置と、
前記光ピックアップ装置からの信号を処理するための信号処理部とを有する光ディスク装置。
【発明の詳細な説明】
【技術分野】
【０００１】
本発明は、第１の光ディスクと、第１の光ディスクとは異なる規格の第２の光ディスクの少なくとも２種類の記録密度の異なる光ディスクに対し、記録・再生が可能な互換光ピックアップ装置に関する。
【背景技術】
【０００２】
Ｂｒｕ−ｒａｙ  Ｄｉｓｃ（以下ＢＤと略記する）、ＤＶＤおよびＣＤに対して記録あるいは再生を行う３波長互換ピックアップの構成が知られている。例えば、特許文献１には、第１光源に波長４０７ｎｍの青紫色レーザを用い、第２光源に波長６５５ｎｍの赤色レーザを用い、第３光源に波長７８５ｎｍの赤外レーザを用いた構成が示されている。これらの光源から出射された光束を３波長互換対物レンズに入射し、各情報記録再生媒体の記録再生面で集光させる構成となっている。
【０００３】
【特許文献１】特開２００５−２９３７７５号公報
【発明の開示】
【発明が解決しようとする課題】
【０００４】
しかしながら、特許文献１では、例えばＨＤ-ＤＶＤ（以下ＨＤと略記する）に対して記録および/又は再生を行う場合については記載されていない。
【０００５】
本発明では、互いに基板厚の異なる２種類の情報記録再生媒体に対して、同じ発光素子から出射したレーザ光を用いて記録および再生の少なくとも一方が可能な小型の光ピックアップ装置とそれを備える光ディスク装置を提供することを目的とする。
【課題を解決するための手段】
【０００６】
上記目的を達成させるために、本発明の光ピックアップ装置は、記録面あるいは再生面を有する第１の光ディスクと、記録面あるいは再生面を有し、前記第１の光ディスクと基板の厚みの異なる第２の光ディスクとに少なくとも対応した光ピックアップ装置であって、発光素子と、前記発光素子から出射されるレーザ光を前記第１の光ディスクに集光するための第１の対物レンズと、前記発光素子から出射されるレーザ光を前記第２の光ディスクに集光するための第２の対物レンズと、前記第１の光ディスク又は第２の光ディスクで反射された反射レーザ光を受光して、信号を生成するための受光素子と、前記発光素子から出射されるレーザ光を前記第１の対物レンズと第２の対物レンズに向けて分割するための光学系とを備えた構成とする。
【発明の効果】
【０００７】
本発明によれば、互いに基板厚の異なる２種類の情報記録再生媒体に対して、同じ発光素子から出射したレーザ光を用いて記録および再生の少なくとも一方が可能な小型の光ピックアップ装置とそれを備える光ディスク装置を提供することができる。
【発明を実施するための最良の形態】
【０００８】
以下、本発明にかかる光ピックアップ装置とそれを備える光ディスク装置の実施形態を説明する。
【実施例１】
【０００９】
実施例１ではＢＤ、ＨＤの記録および再生が可能な光ディスクドライブに対応した光ピックアップについて説明する。
【００１０】
ＢＤとＨＤは、互いに基板の厚さが異なる。ＢＤとＨＤでは、光入射面から記録面又は再生面までの光路長が異なることになるので、本発明にかかる光ピックアップ装置は、仕様の異なる２つの対物レンズを搭載して、それぞれの対物レンズでＢＤとＨＤの記録及び再生を行うように構成されている。
【００１１】
図１は、第１の実施例の光ピックアップの光学系の説明図である。レーザ光源１から光ビームが発散光として出射される。情報の記録または情報の再生をＢＤ、ＨＤ系の光ディスクに行うには、波長約４０５ｎｍの半導体レーザを用いるのが一般的であり、レーザ光源１も波長約４０５ｎｍの光ビームを出射する半導体レーザを想定している。
【００１２】
レーザ光源１から出射された光ビーム２は、ビーム整形素子３、可変偏光切替素子付きの回折格子４を透過し、偏光ビームスプリッタ５にて、偏光の向きにより、ＨＤ用光学系を通過する光ビーム６とＢＤ用光学系を通過する光ビーム７に分割される。
【００１３】
光ビーム６は、三角プリズム８で反射され、レンズ９、１/４λ波長板１０を透過し、立ち上げミラー１１を図中ｚ方向に反射しアクチュエータ１２に搭載された対物レンズ１３により光ディスク（ＨＤ）（図示せず）上に集光される。
【００１４】
光ディスクにより光ビーム６は反射し、対物レンズ１３、立ち上げミラー１１１/４λ波長板１０、レンズ９、三角プリズム８を経て、偏光ビームスプリッタ５に到達する。
【００１５】
光ビーム６は行きと帰りと１/４λ波長板１０を２回通過することで光の偏光方向が９０°回転することにより、偏光ビームスプリッタ５で反射され、検出レンズ１４を透過し、光検出器１５に到達する。
【００１６】
光ビーム６は、検出レンズ１４を透過するとき所定の非点収差が与えられ、非点収差法による光ディスクのフォーカスエラー信号（以下ＦＥＳと記す）の検出に使用される。尚、非点収差法はごく一般的なＦＥＳの検出法なので説明は省略する。光検出器１５に導かれた光ビーム６は、光ディスク上に記録されている情報信号の検出と、ＴＥＳおよびＦＥＳなど光ディスク上に集光された光スポットの位置制御信号の検出に使用される。
【００１７】
一方、光ビーム７は、レンズ１６、１/４λ波長板１０を透過し、立ち上げミラー１１を図中ｚ方向に反射しアクチュエータ１２に搭載されたもう一方の対物レンズ１７により光ディスク（ＢＤ）（図示せず）上に集光される。
【００１８】
光ディスクにより光ビーム７は反射し、対物レンズ１７、立ち上げミラー１１１/４λ波長板１０、レンズ１６を経て、偏光ビームスプリッタ５に到達する。
【００１９】
光ビーム７も光ビーム６と同様に、行きと帰りと１/４λ波長板１０を２回通過することで光の偏光方向が９０°回転することにより、偏光ビームスプリッタ５を透過し、検出レンズ１４を透過し、光検出器１５に到達する。
【００２０】
光ビーム７も光ビーム６と同様に検出レンズ１４と光検出器１５により、ＴＥＳおよびＦＥＳなど光ディスク上に集光された光スポットの位置制御信号の検出や光ディスクに記録されている情報信号の検出をすることができる。
【００２１】
次に球面収差補正ユニット２０を説明する。光ディスクには、２層ディスクと言われる記録面の層が2面ある光ディスクの規格がある。こういった光ディスクを再生記録する際、ディスク表面から記録面までの厚さが層により異なる為、球面収差が発生する。
【００２２】
この球面収差の量はＮＡにより発生量が異なるがＢＤのように対物レンズのＮＡが高ＮＡとなる光ピックアップにおいては、発生する球面収差量は無視できないものとなる為、補正手段が必要となる。
【００２３】
球面収差補正ユニット２０は、レンズ１６、レンズ９、レンズホルダ１９とレンズホルダ１９を光軸方向に可動させるステッピングモータ１８という構成となり、ステッピングモータ１８の動力によりレンズホルダごとレンズが光軸方向に可動することで対物レンズへ入射する光を集束、発散光とすることで対物レンズ出射光に球面収差が発生し２層ディスクの板厚の違いによる球面収差の発生を補正することが可能となり、良好な記録再生が可能となる。
【００２４】
このような光学系のように、記録再生波長が同じＢＤ、ＨＤといった異なる規格の光ディスクに対し、単一のレーザ光源と単一の光検出器を共有することにより、光ピックアップの光学構成を簡略化でき小スペースで安価な光ピックアップを作ることができる。
【００２５】
なお、本実施例において、三角プリズムにてＨＤの対物レンズに光を導く構成としたがその限りではなく、対物レンズへ導けるのであれば、ミラーやプリズムであっても何ら構わない。
【００２６】
また、本実施例において、ＢＤ側レンズ１６とＨＤ側レンズ９とをレンズホルダ１９に搭載しステッピングモータ１８にて光軸方向に駆動する構成をとったがその限りではなく、ＢＤ側レンズ１６のみを光軸方向に駆動させる構成でも何ら構わない。
【００２７】
また、本実施例の光学配置において、図１のような構成としたがその限りではなく、レーザ光源１から偏光ビームスプリッタ５までと偏光ビームスプリッタ５から光検出器１５までお入れ替えても何ら構わない。また、ＢＤ側対物レンズ１７、レンズ１６とＨＤ側対物レンズ１３、レンズ９とを入替えても何ら構わない。
【実施例２】
【００２８】
実施例２では、実施例１の光学系において、ＢＤ、ＨＤ２つの光学系から返ってきた２つの光ビームの強度分布を単一の光検出器へ揃えて入射させる調整方式について説明する。
【００２９】
実施例１に記載の光学系を採用した場合、理想的にはＢＤ、ＨＤそれぞれの光学系を通ってきた光ビームは、同一のレーザ光源１から出射された光ビームである為、光検出器１５の同位置に集光する。しかしながら、ＢＤ、ＨＤ各光学系部品の搭載角度や位置、対物レンズへの入射光束を制限するアパーチャーの位置のバラツキにより光検出器上に集光する光の強度分布にズレが発生する場合がある。その結果、一般的な光検出器１５を図中ｘ、ｙ、ｚの方向に調整し、光検出器１５から出力される信号にてデフォーカス調整と光の強度分布を光検出器の中心に来るように調整するだけでは、ＢＤとＨＤのどちらか一方の光学系に対応した調整しかできず、調整が出来ない他方の光学系においては、デフォーカスズレやＦＥＳ、ＴＥＳが不安定となる要因となる。
【００３０】
この課題に対し、本実施例においては、先ず、ＢＤ側光学系にあわせるように従来方式である光検出器１５を使用して調整する構成とし、光検出器１５で調整の出来ないＨＤ側光学系においては他の部品にて調整する構成とした。
【００３１】
次にＨＤ側光学系においての調整についてより詳しく説明する。
【００３２】
図２は、図１の記載されてＡ方向より三角プリズム８を見た側面図である。光ピックアップは、母体となる機構部品（Ｐケースともいう）２１を有しており、この機構部品に種々の搭載部品が支持、固定される。図２のようにＨＤ側の光学系に搭載された三角プリズム８を、この機構部品２１より浮かせた状態で調整した後、三角プリズム８と機構部品２１との間に接着剤２２を塗布し、硬化させることにより三角プリズム８を機構部品２１に対して固定する構成とした。もちろん、三角プリズム８と機構部品２１との間に接着剤２２を介在させた状態で調整を行い、その後、接着剤２２を硬化させてもよい。接着剤２２としては、紫外線硬化型の接着剤が好ましい。
【００３３】
このような構成とすることで、三角プリズム８を任意の角度、位置調整をすることが出来、光検出器では調整のできなかった、もう一方のＨＤ光学系の光ビームの強度分布を光検出器上１５に導くことができると共にデフォーカス調整も最適なフォーカスにあわすことができる。その結果、安定なＦＥＳ、ＴＥＳ制御をすることができるという効果がある。
【００３４】
また、温度特性や環境試験（高温放置、低温放置、高温高湿、温度サイクル）においても光ビームが往路、復路ともに同経路を通るような光学部品については、光学部品の位置や角度ズレにて発生する光検出器上での強度分布ズレの感度が鈍く、そのような部品である三角プリズム８を調整することのより、機構部品に接触せず接着剤のみによる固定においても温度や環境の変化に非常に強く、高信頼性を得られるという効果がある。
【００３５】
また、調整においては位置や角度に鈍感な部品を調整する為、調整に必要な角度や位置のずらし量が大きくなることにより、高価な精密調整器を用いなくとも微調整ができるという効果がある。
【００３６】
また、この方法にて調整することでＢＤ，ＨＤのそれぞれの対物レンズ出射光の傾きを略同一方向に飛ばすことが可能となり、ＢＤ，ＨＤそれぞれの良好な記録再生のできる光ディスクの傾角の差である相対傾角をも軽減する効果がある。
【００３７】
なお、三角プリズム８を調整する為には、三角プリズム８を通過する光束とは別に三角プリズム８を保持する為に必要な領域が必要になり三角プリズムの外形を大きくする必要がある。本実施例では、三角プリズム８に、図３に示すような、三角プリズム８を保持するためのホルダー２３を備える。ホルダー２３は、レーザ光の光路をさえぎらないような位置に設けられている。このようなホルダー２３を用いることにより、三角プリズム８を最良な大きさに実現できると共に最適化することにより三角プリズム８の価格を安価にすることができるという効果がある。
【００３８】
また、このようなホルダー２３を三角プリズム８に装着することにより、位置や角度の調整時に、三角プリズム８を傷つけたり、汚れが付着したりすることを防止又は抑制することができる。
【００３９】
なお、ホルダー２３の形状は図３に示す形状に限定されず、三角プリズム８を保持しつつ三角プリズム８の調整ができるのであればどのような形状でも良い。また、三角プリズム８をホルダー２３に保持した状態で、ホルダー２３の位置や角度を調整しながら、ホルダー２３を接着剤を介して機構部品２１に固定させてもよい。
【００４０】
なお、本実施例においては、ＨＤ光学系の最終調整用の光学部品を、ＨＤ光学系に配置された三角プリズム８で調整する構成としたがその限りではなく、調整用光学部品としては、２つの光学系に光ビームを分割する光学部品（本実施例では偏光ビームスプリッタ５）から対物レンズまでの部品が対象であり、立ち上げミラーやレンズを機構部品２１（Pケース）に接触させること無く調整可能とする構成としてもなんら構わない。
【００４１】
例えば、三角プリズム８を機構部品２１に接触させた状態で固定し、三角プリズム８から対物レンズ１３までの間に光路上に配置される光学部品、例えば、レンズを調整用光学部品として、機構部品２１に接触させない状態で紫外線硬化型の接着剤などにより固定してもよい。この場合は、レンズの位置を調整することによって、ＨＤ光学系の最終調整を行うことができる。
【００４２】
また、最終調整用のレンズがレンズホルダに搭載されるような場合には、レンズホルダを機構部品２１に接触させて固定し、次いで、レンズがレンズホルダに接触しない状態で、レンズの位置を変えてＨＤ光学系の調整を行った後、レンズをレンズホルダに紫外線硬化型接着剤を介して固定するようにしてもよい。
【００４３】
また、レンズをレンズホルダに接触した状態で固定し、レンズホルダを機構部品２１に接触しない状態で保持して、レンズホルダの位置を変えてＨＤ光学系の調整を行った後、レンズホルダを機構部品２１に紫外線硬化型接着剤を介して固定するようにしてもよい。
【００４４】
また、更に、レンズホルダとレンズの両方を調整用光学部品としてもよく、レンズホルダを機構部品２１に接触させず、更に、レンズもレンズホルダに接触させない状態で、レンズホルダとレンズの位置又は角度を変えてＨＤ光学系の調整を行っても良い。そして、調整後は、レンズホルダを機構部品２１に紫外線硬化型接着剤で固定し、レンズをレンズホルダに紫外線硬化型接着剤で固定すればよい。
【００４５】
ここでは、ＨＤ光学系を最終調整させたが、逆に、ＢＤ光学系を最終調整させる態様としてもよく、この場合、ＢＤ光学系を構成するいずれかの光学部品を最終調整用の光学部品として機構部品と接触しない状態で調整を行い、最終調整用の光学部品を紫外線硬化型の接着剤で固定させてもよい。
【００４６】
以上説明したような調整方法に従って製造された光ピックアップ装置は、安定なＦＥＳ、ＴＥＳ制御をすることができる。
【実施例３】
【００４７】
実施例３では、実施例１にて説明した光学系を用いた、ＢＤ、ＨＤ、ＤＶＤ、ＣＤの４メディア互換の光ピックアップを説明する。
【００４８】
図４、図５は、実施例１の光学系を用いたＢＤ、ＨＤ、ＤＶＤ、ＣＤの４メディア互換の光ピックアップ光学系の説明図であり、図４は正面図を示し、図５は側面図を示したものである。
【００４９】
ＣＤレーザ２４を出射したＣＤ光２５は、１／２波長板２６、レンズ２７、回折格子２８を透過し、偏光ビームスプリッタ２９で反射され、レンズ３０、ＤＶＤ/ＣＤ広帯域1/4波長板３１を透過し、複合型立上プリズム３２にて反射され、レンズ３３、開口制限素子３４を透過し、ＨＤ/ＤＶＤ/ＣＤ互換対物レンズ１３に入射する。そしてＣＤディスク１００に集光される。
【００５０】
ＣＤディスク１００で反射された後、ＨＤ/ＤＶＤ/ＣＤ互換対物レンズ１３、開口制限素子３４、レンズ３３を透過し、複合型立上プリズム３２にて反射される。
【００５１】
そしてＤＶＤ/ＣＤ広帯域1/4波長板３１、レンズ３０、偏光ビームスプリッタ２９、波長選択性１／２波長板３５を透過し、偏光ビームスプリッタ３６で反射され、検出レンズ３７を透過し、光検出器３８に入射する。
【００５２】
光検出器３８にて得られた信号を、図６に示す光ディスク装置の信号処理部４６で信号処理し、再生時は、再生信号を得るとともに、サーボ信号作成部４７にて互換対物レンズ２がフォーカス制御、トラッキング制御される信号を作成し、ＡＦ−ＴＲ制御回路４８に入力され、ＡＦ（オートフォーカス）制御と、ＴＲ（トラッキング）制御が行われる。また、チルト信号作成部４９にてチルト駆動信号が作成され、チルト駆動回路５０を経由してチルトコイルにチルト電流が印加され、ＨＤ/ＤＶＤ/ＣＤ互換対物レンズ１３を含む可動部がチルト動作を行う。
【００５３】
これらのシステムコントロールが信号処理部４６でなされ、最良な光学特性が得られるようにコントロールされる。
【００５４】
図示しないが、このような互換光ピックアップに搭載されている対物レンズ駆動装置は、一般的にはＡＦ動作、ＴＲ動作、ＴＩＬＴ動作を行う３次元対物レンズ駆動装置である。対物レンズを含む可動部にはＡＦコイル、ＴＲコイル、ＴＩＬＴコイルが配置されている。この可動部がマグネットおよびヨークなどによって構成される固定部に対して導電性弾性支持部材６本で支持されており、上記システムコントロールが可能となっている。
【００５５】
ＤＶＤレーザー３９を出射したＤＶＤ光４０は、１／２波長板４１、回折格子４２を透過し、偏光ビームスプリッタ４３で反射され、偏光ビームスプリッタ３６、波長選択性１／２波長板３５、偏光ビームスプリッタ２９、レンズ３０、ＤＶＤ/ＣＤ広帯域1/4波長板３１を透過し、複合型立上プリズム３２にて反射され、レンズ３３、開口制限素子３４を透過し、ＨＤ/ＤＶＤ/ＣＤ互換対物レンズ１３に入射する。そしてＤＶＤディスク２００に集光される。
ＤＶＤディスク２００で反射された後、ＨＤ/ＤＶＤ/ＣＤ互換対物レンズ１３、開口制限素子３４、レンズ３３を透過し、複合型立上プリズム３２にて反射される。
【００５６】
そしてＤＶＤ/ＣＤ広帯域1/4波長板３１、レンズ３０、偏光ビームスプリッタ２９、波長選択性１／２波長板３５、偏光ビームスプリッタ３６、偏光ビームスプリッタ４３、検出レンズ４４を透過し、光検出器４５に入射する。
【００５７】
光検出器４５にて得られた信号は、上述したＣＤ用光検出器３８で得られた信号と同様に図６に示す光ディスク装置の信号処理部４６で信号処理される。また、ＤＶＤの記録再生のシステムコントロールも、前述したＣＤのシステムコントロールと同様であり、詳細な説明は省略する。
【００５８】
ＨＤ／ＢＤレーザー１を出射したＨＤ/ＢＤ光２はビーム整形素子３、可変偏光切替機能を有する回折格子４を透過し、偏光ビームスプリッタ５にて、偏光の向きにより、ＨＤ光６とＢＤ光７に分割される。
【００５９】
ＨＤ光６は、三角プリズム８で反射され、レンズ９、1/4波長板１０を透過し、複合型立上プリズム３２にて反射され、レンズ３３、開口制限素子３４を透過し、ＨＤ/ＤＶＤ/ＣＤ互換対物レンズ１３に入射する。そしてＨＤディスク３００に集光される。
【００６０】
ＨＤディスク３００で反射された後、ＨＤ/ＤＶＤ/ＣＤ互換対物レンズ１３、開口制限素子３４、レンズ３３を透過し、複合型立上プリズム３２にて反射される。
【００６１】
そして1/4波長板１０、レンズ９を透過し、三角プリズム８で反射され、偏光ビームスプリッタ５で反射され、検出レンズ１４を透過し、光検出器１５に入射する。
【００６２】
光検出器１５にて得られた信号を用いて、ＨＤ再生時は、ＨＤ再生信号を得るとともに、ＨＤ/ＤＶＤ/ＣＤ互換対物レンズ１３は、フォーカス制御、トラッキング制御、さらにはチルト制御が掛けられ、最良な光学特性が得られるように図６に示すシステムにてコントロールされる。
【００６３】
一方、ＢＤ光７は、レンズ１６、１/４波長板１０を透過し、ミラー１１で反射され、ＢＤ用対物レンズ１７に入射する。そしてＢＤディスク４００に集光される。
【００６４】
ＢＤディスクにて４００で反射された後、ＢＤ用対物レンズ１７を透過し、ミラー１１で反射され、１/４波長板１０、レンズ１６、偏光ビームスプリッタ５、検出レンズ１４を透過し光検出器１５に入射する。
【００６５】
光検出器１５にて得られた信号を用いて、ＢＤ再生時は、ＢＤ再生信号を得るとともに、対物レンズ１７は、フォーカス制御、トラッキング制御、さらにはチルト制御が掛けられ、最良な光学特性が得られるように図６に示すシステムにてコントロールされる。
【００６６】
上記構成とすることで、ＢＤ、ＨＤ、ＤＶＤ、ＣＤの４つの光ディスクに対応した安価でかつ小スペースな互換光ピックアップを作成することが出来る。
【００６７】
上記実施形態によれば、記録再生波長に同一の波長を使用する規格の異なる２つの光ディスクＢＤ、ＨＤに対し、第１の対物レンズ（ＢＤ専用対物レンズ）と第２の対物レンズ（ＨＤ専用または、ＨＤ、ＤＶＤ、ＣＤ互換対物レンズ）とレーザ光源と光検出器と２つの対物レンズに光を分割する為の光学部品とを備え、２つの対物レンズに導く為の２つの光学系を有した光学系において、レーザ光源と光検出器を共有化することでＢＤ、ＨＤ側光学系を安価且つ小スペース化することができ、その光学系とＣＤ/ＤＶＤ光学系を組み合わせることにより、ＣＤ、ＤＶＤ、第１の次世代ＤＶＤ（ＢＤ）、第２の次世代ＤＶＤ（ＨＤ）の４種類の光ディスクに対する良好な記録・再生が可能な効果があり、4種類のディスク互換光ピックアップを提供することができる。
【００６８】
また、上述した光ピックアップ装置は、光ディスク装置に装着されて使用される。光ディスク装置は、光ピックアップ装置により得た信号を信号処理して再生信号を得、モータなどの回転駆動機構によって回転している情報記録再生媒体に記録されている情報を再生する。また、光ディスク装置は、情報記録再生媒体に、光ピックアップ装置から記録光を照射して、ＣＤ、ＤＶＤ、ＢＤ、ＨＤ  ＤＶＤなどの各種の情報記録再生媒体に情報を記録することができる。
【００６９】
以上、本発明に従う光ピックアップ装置及びそれを備える光ディスク装置の実施の形態について説明したが、本発明は上述した実施の形態に限定されるものではなく、種々の改良例や変形例を含むことができる。
【図面の簡単な説明】
【００７０】
【図１】図１は、第１の実施例の光ピックアップの光学系説明図である。
【図２】実施例２の光ピックアップの母体となる機構部品とＨＤ側光学系に搭載された三角プリズムとの固定する方法の説明図である。
【図３】実施例２の光ピックアップの母体となる機構部品とＨＤ側光学系に搭載された三角プリズムと三角プリズムを保持するホルダーの固定する方法の説明図である。
【図４】第１の実施例の光ピックアップの光学系にＤＶＤ、ＣＤの光学系を組合せ、ＢＤ、ＨＤ、ＤＶＤ、ＣＤ４種類の光ディスクに対応した光ピックアップの光学系とした光学系構成図の正面説明図である。
【図５】第１の実施例の光ピックアップの光学系にＤＶＤ、ＣＤの光学系を組合せ、ＢＤ、ＨＤ、ＤＶＤ、ＣＤ４種類の光ディスクに対応した光ピックアップの光学系とした光学系構成図の側面説明図である。
【図６】光ディスク装置のシステムコントロールの概念図である。
【符号の説明】
【００７１】
１…ＢＤ，ＨＤレーザ光源、３…ビーム整形素子、４…回折格子、５・・・偏光ビームスプリッタ、８・・・三角プリズム、９・・・レンズ、１０・・・１/４波長板、１１・・・立ち上げミラー、１３・・・対物レンズ、１４・・・検出レンズ、１５…光検出器、１６…レンズ、１７・・・対物レンズ、１８・・・ステッピングモータ、１９・・・レンズホルダ、２０・・・球面収差補正素子ユニット、２１・・・光ピックアップの母体となる機構部品、２２・・・接着剤、２３・・・ホルダー、２４・・・ＣＤレーザ光源、２６・・・１/２波長板、２７・・・レンズ、２８…回折格子、２９…偏光ビームスプリッタ、３０…レンズ、３１…ＤＶＤ/ＣＤ広帯域１/４波長板、３２…複合立ち上げプリズム、３３…レンズ、３４…開口制限素子、３５…波長選択性１/２波長板、３６…偏光ビームスプリッタ、３７…検出レンズ、３８…光検出器、３９…ＤＶＤレーザ光源、４１…１/２波長板、４３…偏光ビームスプリッタ、４４…検出レンズ、４５…光検出器、１００…ＣＤディスク、２００…ＤＶＤディスク、３００…ＨＤディスク、４００…ＢＤディスク
【図１】
2008103037.tif 000003
【図２】
2008103037.tif 000004
【図３】
2008103037.tif 000005
【図４】
2008103037.tif 000006
【図５】
2008103037.tif 000007
【図６】
2008103037.tif 000008